(57)【要約】【課題】  洗車作業による肉体的負担を軽減し、かつ、靴や衣服が汚れ難い洗車具を提供する。【解決手段】  清掃用床ワイパー構造において、プレート状の払拭部１全体を適宜の柔軟性と強度を有する素材で形成し、この払拭部１内の適宜位置に適宜大の偏平形状の磁石体２を複数個埋設する。【選択図】図１
2009101978.tif 000002
【特許請求の範囲】
【請求項１】
棒状握持部と、この先端に連結部を介して傾動自在に連結されたプレート状の払拭部とを備え、この払拭部に拭布を着脱自在に装着する清掃具において、払拭部全体が適宜な柔軟性と強度を有する素材で形成され、この払拭部内の適宜位置に適宜大の偏平形状の磁石体を複数個埋設したことを特徴とする吸着式洗車用ワイパー。
【発明の詳細な説明】
【技術分野】
【０００１】  本発明は、自動車の清掃作業時に使用される洗車具に係り、特に、手洗いでボディ表面を清掃する際に使用される洗車具に関するものである。
【背景技術】
【０００２】  従来、自動車の清掃作業時に使用される洗車具は、多種多様のものが提供されており、払拭部がブラシのものや、スポンジ状のものなど様々であるが、大別すると払拭部に柄が付いてるタイプと、払拭部の上面に握持部が付いているタイプに分けられる。何れのタイプも使用方法は、ボディ表面に払拭部を押し付けながら、前後、左右、或いは、上下に擦る方法で使われるのが一般的である。柄付きタイプは、高所や離れた箇所を清掃するには便利であるが柄先の払拭部を押圧するためには、指、手首、腕にかなりの力が必要であるために短い柄が付いているものが多い。一方、払拭部の上面に握持部が付いているタイプは、体重を利用して押圧できるので柄付きタイプと比較して幾分腕の負担は少ないが、身体が自動車のボディに接近した作業となるために、衣服や靴が汚れやすい不都合があった。【０００３】  上記従来の両タイプの洗車具を使用して清掃作業をすると、作業終了後には指先から肩まで腕全体にかなりの疲労感を覚える。その原因は、洗車具の払拭部をボディ表面に押し付けながらの前後、左右、或いは、上下方向への腕の動作が重度の肉体的負担となっている。特に、近年は車高の高い自動車が増えており、柄付きタイプでないと払拭部が届かない箇所が多くなっているとともに、腕を高い位置に挙げた状態での清掃作業が多くなっている。腕を水平、及び、それ以上に挙げた状態での払拭部を押圧する動作は、体重を利用できない高さなので、指・手首・腕・肩にかなりの負担を強いられる。さらには、ボディの汚れが激しい場合には、より一層強く押し付けなければならず、その疲労は一段と激しいものとなっていた。【０００４】  前述の押圧力を軽減する清掃具として文献１が提案されているが、本願出願人が実施した結果は、ゴムマグネットの磁力が弱くて実用には不向きであり、さらには、柄付きタイプではないので衣服や靴が汚れる不都合があった。【０００５】
【特許文献１】特開平１０−１６７０２２
【発明の開示】
【発明が解決しようとする課題】
【０００６】  前述の洗車作業による肉体的負担を軽減し、且つ、衣服や靴が汚れ難く、女性や高齢者でも手軽に作業ができる洗車具を提供することが本発明の課題である。清掃作業時の腕の動作を分解すると、押圧の動作、前後の動作、左右の動作、上下の動作などに分けられるが、そのうちで最も手や腕に負担となっているのは押圧する動作を持続させることである。そこで、本発明は押圧する動作が不要となり、且つ、身体と自動車のボディと適宜の距離を保って楽な姿勢で清掃作業ができる洗車具を提供しようとするものである。
【課題を解決するための手段】
【０００７】  本発明は、前述の課題を解決する手段として構成したところは、長方形のプレート状の払拭部と、その払拭部の上面中央部に連結部を介して傾動自在に連結された棒状握持部とから成り、払拭部に拭布を装着して使用する基本構成は、従来のフローリングワイパーと同等である。本発明の要点は、払拭部全体を適宜の柔軟性と強度を有する素材で形成し、その払拭部内の適宜位置に適宜大の偏平形状の磁石体を複数個埋設して前述の課題を解決したところにある。この様に構成された払拭部に、着脱自在の清掃用途に応じた拭布を装着して清掃する使用法である。払拭部内に埋設された磁石体の吸着力によって払拭部全体がボディに吸着し、且つ、払拭部材の柔軟性によってボディの曲面にも払拭部全体が吸着する。この吸着力が従来の洗車具で必要だった押圧力に代わるものである。従来の洗車具では払拭部への押圧力が必要であったために、柄の長さには限度があったが、その必要からも解放されて長めの柄が構成可能となっている。
【発明の効果】
【０００８】  この様な構成によって、腕に最も負担となっていた払拭部への押圧を持続させる動作から解放されて腕の負担が軽くなるとともに、長めの柄が構成されたことでボディの高い箇所や低い箇所、あるいは、遠い箇所でも楽な姿勢で清掃作業が可能となり、腰や足の負担も軽減する。更には、身体とボディとの間に適宜の距離を置いて清掃作業ができるので、衣服や靴が汚れ難い云う利点がある。【０００９】  以下、本発明の実施形態を図面に基づいて説明する。
図１は本発明の一実施形態の要部の構成を示す斜視図、図２は払拭部の正面長手方向の断面図である。払拭部１は、ポリ塩化ビニル、シリコンゴム、或いは、低密度ポリエチレン等のビニル系、ゴム系、樹脂系等の柔軟で適宜の強度を有する素材で、長方形のプレート状に形成されている。払拭部１の部材内には、適宜大の偏平形状に形成された磁石体２が適宜位置に複数個埋設されて防水と防錆状態に備えられているとともに、磁石体２は図３に示すように、ネオジューム等の強力な磁性体２ａが周囲と上面を囲む鉄製函体２ｂで被嵌されて磁力が増強されている。複数の磁石体２は、連結部４を基点に左右対称に配置されることが好ましい。【００１０】  払拭部１の上面の両長手方向辺縁部には、雄側面ファスナー３が長手方向に連続的、又は、間欠的に設けられている。以上のように構成された払拭部１に、図５に示すように、拭布７の長手方向の両端部を払拭部１の雄側面ファスナー３に係止して装着するが、拭布７は極細繊維、網状繊維、不織布など拭布７がループ状繊維や毛脚の長い繊維であれば、拭布７に雌側面ファスナーが無くても払拭部１に係止可能であるが、雄側面ファスナー３との係止力が弱い繊維の拭布７には対応位置に雌側面ファスナーの取り付けが望ましい。装着する拭布７は、ボディ表面の汚れ具合や、水洗い、乾拭き、艶出し等の使用状況によって使い分けされ、使用後は洗濯して再使用することができる。なお、ボディの磁石が吸着しない箇所であるガラス面、樹脂面などは、従来の洗車具のように払拭部１を押し付けて清掃可能である。【００１１】  払拭部１の上面中央部には、合成樹脂などの硬質素材で形成された連結部４の軸受側４ａが面ファスナー（図示せず）によって固着されており、軸受側４ａの基体底面には雄側面ファスナーが粘着されている。払拭部１とは着税自在になることで払拭部１の取付け方向を変えられるとともに、他のスポンジ状の払拭部などに交換可能となっている。棒状握持部５の先端近傍部は適宜に下方へ屈曲しており、その先端部には連結部４の軸側４ｂが設けられて前後方向に傾動自在に係止されている。棒状握持部５は継手６を介して連接自在に形成されるとともに、継手６より後部は長さが無段階で伸縮自在に構成されている。尚、棒状握持部５は、アルミやステンレスなどの錆びない金属で形成されるのが望ましい。
【図面の簡単な説明】
【００１２】
【図１】本発明の要部構造を示す斜視図である。
【図２】図１の正面長手方向の断面図である。
【図３】本発明の磁石体の構造を示す断面図である。
【図４】本発明の要部構造を示す側面図である。
【図５】本発明の払拭部に拭布を装着した側面図である。
【符号の説明】
【００１３】    １…………払拭部
２…………磁石体
３…………雄側面ファスナー
４…………連結部
４ａ………軸受側
４ｂ………軸側
５…………棒状握持部
６…………継手
７…………拭布
【図１】
2009101978.tif 000003
【図２】
2009101978.tif 000004
【図３】
2009101978.tif 000005
【図４】
2009101978.tif 000006
【図５】
2009101978.tif 000007